(57)【特許請求の範囲】
【請求項１】
指示計器を収納するケースと、前記ケースの底部側に固定されるとともに、本体に組み付け固定される取付ステー部材と、前記取付ステー部材の一部を覆いつつ前記ケースの前面側を除く周側面側と底面側とを覆うアンダーカバーと、を備えた計器装置において、前記アンダーカバーは、前記ケースの周側面を覆う略筒状からなる側周壁部と、前記側周壁部と連なるように前記ケースの底面側を覆う底壁部と、を分割して形成してなることを特徴とする計器装置。
【請求項２】
前記アンダーカバーには、前記側周壁部と前記底壁部との境目箇所に前記取付ステー部材の一部を前記ケースの外部側へと引き出し案内するため切り欠き開口部を設けてなることを特徴とする請求項１に記載の計器装置。
【請求項３】
前記ケースに対して、前記アンダーカバーの前記側周壁部と前記底壁部とを共締め固定してなることを特徴とする請求項１または請求項２に記載の計器装置。
【請求項４】
前記ケースの底面側には、前記ケースの内部側から外部側へと電気的に引き回し配設される配線コードが設けられ、前記配線コードを前記アンダーカバーに設けられた前記切り欠き開口部から前記ケースの外部側へと引き出し案内してなることを特徴とする請求項２または請求項３に記載の計器装置。
【発明の詳細な説明】
【技術分野】
【０００１】
本発明は、例えばオートバイ、建設機械、農耕機械、船舶、雪上バイク、水上バイク等に搭載される計器装置に関するものである。
【背景技術】
【０００２】
この種の計器装置にあっては、例えば前面側に設けられた上側ケースと背面側に設けられた下側ケースとからなるケースの内部に、指針による指示を行う速度計や燃料計や温度計などの各種の指針によるアナログ式の指示計器や液晶表示装置（液晶表示素子）からなる指示計器などを収納固定するとともに、各指示計器を駆動するための回路基板をケース内に収納固定して構成している。
【０００３】
また、例えば車両であるオートバイなどの計器装置にあっては、背面側に設けられた下側ケース側に取付ボルトなどを介して取付ステー部材の一端側が取付固定され、その取付ステー部材の他端側が、オートバイなどの車体側に組み付け固定されるように設けられている。
【０００４】
また、ケースの外部に組み付けられる取付ステー部材は、ケースの底部側から一部が突出して設けられるため、安全保護ためにケースの側周面および底面部を保護用のアンダーカバーによって覆うようにしたものが提案されている。また、アンダーカバーによってケースの側面および後部側を覆うことにより、外部から雨水などがケースに晒されてしまうことがないように保護する役目を果たしている。（特許文献１参照）
【０００５】
また前述したようにアナログ式の指示計器や液晶表示装置（液晶表示素子）からなる指示計器などにおいては、指示計器の照明や指示計器の電気的な駆動のために配線コードを介して車体側の電源側と接続するようにすることがある。（特許文献１参照）
【０００６】
また前述したオートバイや建設機械，農耕機械，船舶など外気に晒されやすい計器装置にあっては、例えば上側ケースに設けられた透視パネルの曇り現象を抑えるための手段として、上側ケースと下側ケースによって構成される収納空間内と外気側とを連通する通気孔を下側ケースに設けるように構成している。
【０００７】
また車両側へと電気的に引き回し形成される配線コードの保護を図りつつ引き回しを安定にするとともに、下側ケースに設けた通気孔の外側から直接的にケースの内部側へと塵埃や水滴などが侵入しないように下側ケースの外周面に沿わせるようにアンダーカバーによって覆うように構成している。（特許文献２など参照）
【先行技術文献】
【特許文献】
【０００８】
【特許文献１】実公平４ー１１１３２号公報
【特許文献２】特開２００７ー８５７８６号公報
【発明の概要】
【発明が解決しようとする課題】
【０００９】
ところで、計器のケースの背後側に覆われているアンダーカバーは、特許文献１に示されているように、ケースの背後側に取付固定されている取付ステー部材（取付金具）の一部がケースの底面部分から横方向に延びて形成されている。
【００１０】
このため、ケースの背後側から椀状のアンダーカバーをケースの底面側と側面部側とを覆うようにするためには、取付ステー部材を迂回するようにアンダーカバーの側周壁の開口側から一部を切り欠くように切欠き部を形成している。
【００１１】
従って、アンダーカバーの側周壁部に設けられた切り欠き部（開口部）がケースの外周壁面に沿って大きく形成されているために、外部側からアンダーカバーの開口部箇所を介して雨水や塵埃などが侵入しやすくなってしまうという問題があり、この点について改善の余地が残されている。
【００１２】
本発明は前述した問題点に着目し、取付ステー部材がケースの底部側から一部が引き出されている構成であっても、アンダーカバーによってケースの周面側と底面側とを良好に覆うことのできる計器装置を提供することを目的とする。
【課題を解決するための手段】
【００１３】
本発明は、前記目的を達成するため、指示計器を収納するケースと、前記ケースの底部側に固定されるとともに、本体に組み付け固定される取付ステー部材と、前記取付ステー部材の一部を覆いつつ前記ケースの前面側を除く周側面側と底面側とを覆うアンダーカバーと、を備えた計器装置において、前記アンダーカバーは、前記ケースの周側面を覆う略筒状からなる側周壁部と、前記側周壁部と連なるように前記ケースの底面側を覆う底壁部と、を分割して形成してなることを特徴とする計器装置である。
【００１４】
このように構成することにより、ケースの底部側に組み付け固定される取付ステー部材の一部がケースの側方に引き回しは位置されていたとしても、アンダーカバーは、ケースの周側面を覆う略筒状からなる側周壁部と、前記側周壁部と連なるように前記ケースの底面側を覆う底壁部と、に２分割に形成してなることにより、ケースの周側面を覆う側周壁部を先ず最初にケースのセットし、次いで取付ステー部材をケースの底面側に取付固定し、さらにアンダーカバーの底壁部を取付ステー部材の背後側から覆うようにセットすることによってケースの外周面部と底面部とを隙間（開口部）を小さく設定することが可能となり、雨水や塵埃などを侵入を極力抑えることができる。（請求項１）
【００１５】
また請求項１に記載の計器装置において、請求項２では、前記アンダーカバーには、前記側周壁部と前記底壁部との境目箇所に前記取付ステー部材の一部を前記ケースの外部側へと引き出し案内するため切り欠き開口部を設けてなることを特徴とするものである。
【００１６】
このように構成することにより、取付ステー部材の形状に合わせて、アンダーカバーに設けられる切り欠き開口部を小さく設定することが可能となり、外部からの雨水や塵埃の侵入を抑えることができる。（請求項２）
【００１７】
また請求項１または請求項２に記載の計器装置において、請求項３では、前記ケースに対して、前記アンダーカバーの前記側周壁部と前記底壁部とを共締め固定してなることを特徴とするものである。
【００１８】
このように構成することにより、ケースの周側面を覆う側周壁部を先ず最初にケースにセットし、次いで取付ステー部材をケースの底面側に取付固定し、さらにアンダーカバーの底壁部を取付ステー部材の背後側から覆うようにセットした後、固定用部材によって共締め固定することによって簡単にケースにアンダーカバーを組み付け保持することができる。（請求項３）
【００１９】
また請求項２または請求項３に記載の計器装置において、請求項４では、前記ケースの底面側には、前記ケースの内部側から外部側へと電気的に引き回し配設される配線コードが設けられ、前記配線コードを前記アンダーカバーに設けられた前記切り欠き開口部から前記ケースの外部側へと引き出し案内してなることを特徴とするものである。
【００２０】
このように構成することにより、ケースの内部側から外部側へと引き出し案内される配線コードは、アンダーカバーに設けられた切り欠き開口部から外部側へと容易に引き回し配線することができるとともに、アンダーカバーに設けられる切り欠き開口部を小さく設定することが可能となるため、外部からの雨水や塵埃の侵入を抑えることができる。（請求項４）
【発明の効果】
【００２１】
本発明では、指示計器を収納するケースと、前記ケースの底部側に固定されるとともに、本体に組み付け固定される取付ステー部材と、前記取付ステー部材の一部を覆いつつ前記ケースの前面側を除く周側面側と底面側とを覆うアンダーカバーと、を備えた計器装置において、前記アンダーカバーは、前記ケースの周側面を覆う略筒状からなる側周壁部と、前記側周壁部と連なるように前記ケースの底面側を覆う底壁部と、を分割して形成してなることを特徴とする計器装置であるため、ケースの底部側に組み付け固定される取付ステー部材の一部がケースの側方に引き回しは位置されていたとしても、アンダーカバーは、ケースの周側面を覆う略筒状からなる側周壁部と、前記側周壁部と連なるように前記ケースの底面側を覆う底壁部と、に２分割に形成してなることにより、ケースの周側面を覆う側周壁部を先ず最初にケースのセットし、次いで取付ステー部材をケースの底面側に取付固定し、さらにアンダーカバーの底壁部を取付ステー部材の背後側から覆うようにセットすることによってケースの外周面部と底面部とを隙間（開口部）を小さく設定することが可能となり、雨水や塵埃などを侵入を極力抑えることができるものであり、これにより初期の目的を達成することができる。
【図面の簡単な説明】
【００２２】
【図１】図１は、本発明の第１実施形態を示す計器装置の正面図である。
【図２】図２は、図１の要部を示すＡ−Ａ線断面図である。
【図３】図３は、図１の要部を示すＢ−Ｂ線断面図である。
【図４】図４は、図２の組み付け前の状態を示す計器装置の断面図である。
【発明を実施するための形態】
【００２３】
以下、本発明を適用した計器装置の第１の実施形態を図１から図３に基づいて説明する。
【００２４】
同図において、本実施形態による計器装置としては、外装部材であるケース１（上側ケース１１と下側ケース１２とからなる収納空間Ｓ）内に、速度計の情報を表示する表示器である周知な指針式の計器からなるアナログ式の指示計器２が中央に設けられ、その速度計からなる指示計器２（表示器）の下部側に走行距離計（ＯＤＯ，ＴＲＩＰ）などの車両情報を表示する液晶表示素子３ａからなる表示器による指示計器３が配置されて、それぞれの表示器である指示計器２，３が上側ケース１１と下側ケース１２とからなる収納空間Ｓ内に組み付け固定されている。
【００２５】
この場合、速度計や走行距離計などの指示計器２，３は、合成樹脂製の枠状のホルダーからなるケーシング４に組み付け固定されるとともに、このケーシング４の背後側に硬質材料からなる回路基板５が組み付け固定されている。
【００２６】
また速度計からなる指示計器２は、計器本体（ムーブメント）２ａと、この計器本体２ａの前面側に表示板２ｂが取付固定され、計器本体２ａの回転軸２ｃの先端部に組み付けられた指針２ｄの指示を表示板２ｂに施した目盛や文字、数字などの指標部２ｅと対比判読するようにしている。
【００２７】
また回路基板５上には、指示計器２，３などを駆動するための駆動手段である電子部品（図示せず）が実装されるとともに、回路基板５の前面側には、表示板２ｂの表示部２ｅや液晶表示素子３ａからなる指示計器３を透過照明するための照明用の光源６（ＬＥＤ）が組み付けられている。
【００２８】
また回路基板５の背面側には、ケース１の外部側へと電気的に引き回し形成するためのコネクタＣ１が設けられている。
【００２９】
また本実施形態におけるケース１は、前面側に設けられた上側ケース１１と背面側に設けられた下側ケース１２とからなり、上側ケース１１は、表示板２ｂ上に設けられた指標部２ｅ領域と指針２ｄの指示状態を視認することが可能な透過性の合成樹脂材料からなる透視パネル１１０と、この透明な透視パネル１１０の周縁箇所に不透明な合成樹脂からなる上ケース体１１１とが成形によって一体的に形成されている。なお、透視パネル１１０を透視可能な合成樹脂材料によって形成しているが、無機ガラスであっても良い。
【００３０】
下側ケース１２には、そのケース１２の底面部分に取付ボルト１２０が設けられ、この取付ボルト１２０を介して金属製の材料からなる取付ステー部材７がナット１２１などによって締め付け固定保持され、この取付ステー部材７は、例えばオートバイなどの本体となる車体側に組み付け固定される。
【００３１】
また下側ケース１２には、回路基板５の背面側に実装されたコネクタＣ１箇所に対応してコネクタ挿通孔部１２２が設けられている。
【００３２】
また回路基板５の背面側に実装されたコネクタＣ１と連結される外部接続用コネクタＣ２には、オートバイの電源側であるバッテリ側と電気的に接続される配線部材である配線コード８が接続されるとともに、配線部材（配線コード８）と下側のケース１２に設けられコネクタ挿通孔部１２２との間を水密に保ちつつ、外部接続用コネクタＣ２を被覆するための弾性部材からなる防水用コネクタカバー８ａが設けられている。
【００３３】
本実施形態においては、配線コード８とケース１２の開口部１２２との間の防水性を保つために防水用コネクタカバー８ａと連続するように設けられた配線チューブ８ｂに配線コード８をそれぞれ挿通して構成している。
【００３４】
また、下側ケース１２には、前記透視パネル１１１の曇りを抑えるために、外気とケース１内の収納空間Ｓ内の内気とを連通する迷路状の通気孔部１２３が下側ケース１２の底面箇所の所定の位置に適宜数設けられている。
【００３５】
また本実施形態においては、風雨に晒される下側ケース１２の背後に実装される配線コード８や下側のケース１２に設けられたコネクタ挿通孔部１２２などを覆いながら車両側へと電気的に引き回し形成される配線コード８の保護を図りつつ引き回しを安定にするとともに、下側ケースに設けた通気孔部１２３の外側から直接的にケース１の内部側へと塵埃や水滴などが侵入しないように下側ケース１２の外周面に沿わせるようにアンダーカバー９によって覆うように構成している。
【００３６】
本実施形態におけるアンダーカバー９にあっては、下側ケース１２の周側面側を覆う略筒状からなる合成樹脂製の側周壁部９０と、この側周壁部９０と連なるように下側ケース１２の底面側を覆う皿状からなる合成樹脂製の底壁部９１と、に２分割に形成されている。
【００３７】
また、アンダーカバー９には、略筒状からなる側周壁部９０と皿状からなる底壁部９１との境目箇所に取付ステー部材７の一部を下側ケース１２の外部側へと引き出し案内するため切り欠き開口部９００が設けられている。本実施形態の切り欠き開口部９００としては、側周壁部９０の後端側に位置した箇所を部分的に切り欠き形成した開口部９０ａと、この開口部９０ａ位置に合わせて底壁部９１箇所を部分的に切り欠き形成した開口部９１ａとによって全体の切り欠き開口部９００が形成されている。
【００３８】
なお、前述したアンダーカバー９に設けられた切り欠き開口部９００によって、取付ステー部材７のみならず、下側ケース１２の内部側から外部側へと電気的に引き回し配設する配線コード８がアンダーカバー９の外部側へと引き出し案内されるように設けられている。
【００３９】
また、アンダーカバー９の側周壁部９０の内周壁には、その内周壁の所要箇所から一体に固定腕片９０ｂが突き出し形成され、この固定腕片９０ｂの位置に合わせてアンダーカバー９の底壁部９１にビスなどの固定部材Ｆによって回し締め固定するための固定片９１ｂが設けられている。
【００４０】
このように構成された第１の実施形態による計器装置にあっては、指示計器２，３を収納するケース１（上側ケース１１と下側ケース１２）と、その下側ケース１２の底部側に固定されるとともに、オートバイなどの車両である本体に組み付け固定される取付ステー部材７と、取付ステー部材７の一部を覆いつつ下側ケース１２の周側面側と底面側とを覆うアンダーカバー９と、を備えた計器装置において、下側ケース１２の底部側に組み付け固定される取付ステー部材７の一部が下側ケース１２の側方に引き回しは位置されていたとしても、アンダーカバー９は、下側ケース１２の周側面を覆う略筒状からなる側周壁部９０と、その側周壁部９０と連なるように下側ケース１２の底面側を覆う底壁部９１と、に２分割に形成してなることにより、下側ケース１２の周側面を覆う側周壁部９０を先ず最初に下側ケース１２の背面側から宛がってセットし、次いで取付ステー部材７を取付ボルト１２０を介してナット１２１にて締め付け固定することにより下側ケース１２の底面側に取付固定し、さらにアンダーカバー９の底壁部９１を取付ステー部材７の背後側から覆うようにセットすることによって計器装置の組み付けを行うことができる。
【００４１】
この際、下側ケース１２に対し、アンダーカバー９の側周壁部９０の内周壁に設けられた固定腕片９０ｂと、アンダーカバー９の底壁部９１に設けられた固定片９１ｂとを重ね合わせた状態にてビスなどの固定部材Ｆによって回し締め固定することによって簡単に組み付け固定（共締め固定）することができる。
【００４２】
計器装置の組み付け後においては、アンダーカバー９には、側周壁部９０と底壁部９１との境目箇所に取付ステー部材７の一部を下側ケース１２の外部側へと引き出し案内するため切り欠き開口部９００が設けられるため、取付ステー部材７の形状に合わせて、アンダーカバー９に設けられる切り欠き開口部９００のスペースを小さく設定することが可能となり、外部からの雨水や塵埃の侵入を抑えることができる。
【００４３】
また本実施形態においては、取付ステー部材７とともに、下側ケース１２の内部側から外部側へと電気的に引き回し配設される配線コード８をアンダーカバー９に設けられた切り欠き開口部９００から外部側へと容易に引き出し案内することができ、アンダーカバー９に設けられる切り欠き開口部９００を小さく設定することが可能となるため、外部からの雨水や塵埃の侵入を抑えることができる。
【００４４】
なお、アンダーカバー９に設けられる切り欠き開口部９００を小さく設定することが可能となるため、その切り欠き開口部９００などの隙間から入ってくる水滴や埃などが直接的に通気孔部１２３に導かれることが抑えられ、外部から水や埃が直接侵入することを未然に防ぐことができる。
【００４５】
また、防塵性や防水性などを考慮するため、本実施形態においては、配線コード８とケース１２の開口部１２２との間の防水性を保つために防水用コネクタカバー８ａを設けるとともに、防水用コネクタカバー８ａと連続するように設けられた配線チューブ８ｂに配線コード８をそれぞれ挿通して構成することにより、外部からの塵埃や水滴から保護することができる。
【００４６】
この際、配線コード８をケース１の背面側である下側ケース１２に沿わせて引き回しして下側ケース１２の側方へと配線処理する場合、アンダーカバー９の側周壁部９０に切り欠いて設けた開口部９０ａ位置に沿わせて配線処理することができるとともに、その配線処理後において略皿状からなるアンダーカバー９の底壁部９１を配線コード８と取付ステー部材７の一部とを覆うように被せて下側ケース１２側に固定保持することができるものであり、組み付け作業性を従来に比べて簡易に行うことができるという効果もある。
【００４７】
なお本発明は、前記実施形態に限定されるものではなく本発明の要旨の範囲内において種々の変形実施が可能であり、例えば実施形態においては、取付ステー部材７の一部を覆いつつ下側ケース１２の周側面側と底面側とを覆うアンダーカバー９を、下側ケース１２の周側面を覆う略筒状からなる側周壁部９０と、その側周壁部９０と連なるように設けられる下側ケース１２の底面側を覆う底壁部９１と、を分割して形成してなるものであるが、アンダーカバー９の側周壁部９０および底壁部９１の形状などはケース１（上側ケース１１と下側ケース１２）の形状や大きさなどに応じて適宜設定すればよいものであり、またアンダーカバー９の側周壁部９０と底壁部９１との境目箇所に取付ステー部材７の一部を下側ケース１２の外部側へと引き出し案内するため切り欠き開口部を設ける際において、取付ステー部材７の形状や引き出し配設される位置に合わせて切り欠き開口部９００を設定すれば良い。
【００４８】
また本実施形態においては２分割に形成した側周壁部９０および底壁部９１を下側ケース１２に対して同時に固定部材Ｆを介して固定（共締め固定）するようにしていたが、場合によっては、アンダーカバー９の側周壁部９０を下側ケース１２に固定保持した後、アンダーカバー９の底壁部９１を下側ケース１２に固定保持するようにしても良いものである。
【産業上の利用可能性】
【００４９】
また、前述した実施形態において詳述したように、オートバイなどの車両用の計器装置を例にして説明したが、車両用計器に限らず船舶用計器あるいは農業用機械や建設機械などの特殊車両の計器装置などにおいても適用することが可能である。
【符号の説明】
【００５０】
１    ケース
２    指示計器
２ａ    計器本体
２ｂ    表示板
２ｃ    回転軸
２ｄ    指針
２ｅ    指標部
３    指示計器
３ａ  液晶表示素子
４    ケーシング
５    回路基板
６    光源
７    取付ステー部材
８    配線コード（配線部材）
８ａ    防水用コネクタカバー
８ｂ    配線チューブ
９    アンダーカバー
１１    上側ケース
１２    下側ケース
９０    側周壁部
９０ａ    開口部
９０ｂ    固定腕片
９１    底壁部
９１ａ    開口部
９１ｂ    固定片
１１０    透視パネル
１１１    上ケース体
１２０    取付ボルト
１２１    ナット
１２２    コネクタ挿通孔部
１２３    通気孔部
９００    切り欠き開口部
Ｃ１    コネクタ
Ｃ２    外部接続用コネクタ
Ｆ    固定部材（ビス）
Ｓ    収納空間
【図１】
0005413604.tif 000002
【図２】
0005413604.tif 000003
【図３】
0005413604.tif 000004
【図４】
0005413604.tif 000005